(57)【要約】【課題】１種類の操作で光学ズームとデジタルズームを一連の動作として行えるプロジェクタを提供する。【解決手段】プロジェクションレンズ１２を動かして光学ズームを調節する光学ズーム操作範囲ＯＲと該範囲ＯＲの光学ズームがテレ端に達する位置ＴＥから連続しデジタルズームを調節するデジタルズーム操作範囲ＤＲとが設けられたズーム調節ノブ１４と、該ノブ１４の操作位置を検出する検出部と、光学ズームがテレ端に達したときより小さな所定倍率のデジタルズームを実行するように入力画像信号を処理して画像を縮小するズームデータをデジタルズーム操作範囲ＤＲの所定操作位置と対応付けて記憶した記憶部と、ズーム調節ノブ１４がデジタルズーム操作範囲ＤＲの所定操作位置に操作されたことを検出部が検出したときに、対応するズームデータを記憶部から読み出し、該データに基づいてデジタルズームを実行する制御部とを備える。【選択図】図２
2007178747.tif 000002
【特許請求の範囲】
【請求項１】
画像形成部によって光源から発せられた光を入力された画像信号に基づいて調整して画像を形成し、該画像をプロジェクションレンズを通してスクリーンへ投射するとともに、手動でプロジェクションレンズを動かして焦点距離を変化させることによりスクリーンへの投射画像の大きさを変える光学ズーム機能と、入力画像信号を処理して画像形成部によって形成する画像の大きさを変化させることによりスクリーンへの投射画像の大きさを変えるデジタルズーム機能とを有するプロジェクタにおいて、
前記プロジェクションレンズに回転可能に取り付けられ、プロジェクションレンズを動かして焦点距離を変化可能な前記光学ズームを調節する光学ズーム操作範囲が設けられ、かつ該光学ズーム操作範囲の前記光学ズームがテレ端またはワイド端に達する位置からそれぞれ連続するように前記デジタルズームを調節するテレ側およびワイド側デジタルズーム操作範囲が設けられたズーム調節ノブと、
前記ズーム調節ノブの回転操作位置を検出する検出部と、
前記プロジェクションレンズの前記画像形成部側に設けられ、プロジェクションレンズへ入射させる光量を制限する光学絞り機構と、
前記光学絞り機構を駆動する駆動部と、
前記光学ズームと異なる所定の倍率の前記デジタルズームを実行するように前記入力画像信号を処理して前記画像形成部によって形成する画像を縮小または拡大する画像処理データと、該形成画像の大きさに応じた光量を前記プロジェクションレンズへ入射させるように前記駆動部を制御して前記光学絞り機構を動作させる絞り制御データとを含んだ複数段階のズームデータを、前記両デジタルズーム操作範囲の複数の所定の操作位置に、該操作位置が前記光学ズーム操作範囲から遠ざかるに連れて前記デジタルズームの倍率が段階的に縮小または拡大するように対応付けて記憶した記憶部と、
前記検出部の検出結果から前記ズーム調節ノブが前記両デジタルズーム操作範囲のいずれかの所定の操作位置に操作されたことを判別して、該操作位置に対応する前記ズームデータを前記記憶部から読み出し、該ズームデータ中の前記画像処理データに基づいて前記入力画像信号を処理して前記画像形成部によって画像を形成し、かつ前記絞り制御データに基づいて前記駆動部を制御して前記光学絞り機構を動作させて前記デジタルズームを実行する制御部と、を備えたことを特徴とするプロジェクタ。
【請求項２】
画像形成手段によって光源から発せられた光を入力された画像信号に基づいて調整して画像を形成し、該画像をプロジェクションレンズを通してスクリーンへ投射するとともに、手動でプロジェクションレンズを動かして焦点距離を変化させることによりスクリーンへの投射画像の大きさを変える光学ズーム機能と、入力画像信号を処理して画像形成手段によって形成する画像の大きさを変化させることによりスクリーンへの投射画像の大きさを変えるデジタルズーム機能とを有するプロジェクタにおいて、
前記プロジェクションレンズを動かして焦点距離を変化可能な前記光学ズームを調節する光学ズーム操作範囲が設けられ、かつ該光学ズーム操作範囲の前記光学ズームがテレ端に達する位置から連続するように前記デジタルズームを調節するデジタルズーム操作範囲が設けられたズーム調節手段と、
前記ズーム調節手段の操作位置を検出する検出手段と、
前記光学ズームがテレ端に達したときより小さな所定の倍率の前記デジタルズームを実行するように、前記入力画像信号を処理して前記画像形成手段によって形成する画像を縮小するズームデータを前記デジタルズーム操作範囲の所定の操作位置と対応付けて記憶した記憶手段と、
前記検出手段の検出結果から前記ズーム調節手段が前記デジタルズーム操作範囲の所定の操作位置に操作されたことを判別して、該操作位置に対応する前記ズームデータを前記記憶手段から読み出し、該ズームデータに基づいて前記デジタルズームを実行する制御手段と、を備えたことを特徴とするプロジェクタ。
【請求項３】
請求項２に記載のプロジェクタにおいて、
前記プロジェクションレンズへ入射させる光量を制限する絞り手段を備え、
前記ズームデータに、前記入力画像信号を処理して前記画像形成手段によって形成する画像を縮小する画像処理データとともに、該形成画像の大きさに応じた光量を前記プロジェクションレンズへ入射させるように前記絞り手段を制御する絞り制御データを含め、
前記制御手段は、前記記憶手段から前記ズームデータを読み出した後、該ズームデータ中の前記画像処理データに基づいて前記入力画像信号を処理して前記画像形成手段によって画像を形成し、かつ前記絞り制御データに基づいて前記絞り手段を制御して前記デジタルズームを実行することを特徴とするプロジェクタ。
【請求項４】
請求項２または請求項３に記載のプロジェクタにおいて、
前記デジタルズーム操作範囲をテレ側デジタルズーム操作範囲とし、
前記ズーム調節手段に、前記光学ズーム操作範囲の前記光学ズームがワイド端に達する位置から連続するように前記デジタルズームを調節するワイド側デジタルズーム操作範囲を設け、
前記記憶手段に、前記光学ズームがワイド端に達したときより大きな所定の倍率の前記デジタルズームを実行するように、前記入力画像信号を処理して前記画像形成手段によって形成する画像を拡大するズームデータを前記ワイド側デジタルズーム操作範囲の所定の操作位置と対応付けて記憶し、
前記制御手段は、前記検出手段の検出結果から前記ズーム調節手段が前記テレ側デジタルズーム操作範囲または前記ワイド側デジタルズーム操作範囲の所定の操作位置に操作されたことを判別して、該操作位置に対応する前記ズームデータを前記記憶手段から読み出し、該ズームデータに基づいて前記デジタルズームを実行することを特徴とするプロジェクタ。
【請求項５】
画像形成手段によって光源から発せられた光を入力された画像信号に基づいて調整して画像を形成し、該画像をプロジェクションレンズを通してスクリーンへ投射するとともに、手動でプロジェクションレンズを動かして焦点距離を変化させることによりスクリーンへの投射画像の大きさを変える光学ズーム機能と、入力画像信号を処理して画像形成手段によって形成する画像の大きさを変化させることによりスクリーンへの投射画像の大きさを変えるデジタルズーム機能とを有するプロジェクタにおいて、
前記プロジェクションレンズを動かして焦点距離を変化可能な前記光学ズームを調節する光学ズーム操作範囲が設けられ、かつ該光学ズーム操作範囲と連続するように前記デジタルズームを調節するデジタルズーム操作範囲が設けられたズーム調節手段と、
前記ズーム調節手段の操作位置を検出する検出手段と、
前記光学ズームと異なる所定の倍率の前記デジタルズームを実行するように、前記入力画像信号を処理して前記画像形成手段によって形成する画像の大きさを変化させるズームデータを前記デジタルズーム操作範囲の所定の操作位置と対応付けて記憶した記憶手段と、
前記検出手段の検出結果から前記ズーム調節手段が前記デジタルズーム操作範囲の所定の操作位置に操作されたことを判別して、該操作位置に対応する前記ズームデータを前記記憶手段から読み出し、該ズームデータに基づいて前記デジタルズームを実行する制御手段と、を備えたことを特徴とするプロジェクタ。
【発明の詳細な説明】
【技術分野】
【０００１】
本発明は、光学ズーム機能とデジタルズーム機能を有するプロジェクタに関するものである。
【背景技術】
【０００２】
近年、大画面表示可能な装置としてプロジェクタが普及している。プロジェクタは、ＤＭＤ（Digital Micromirror Device）等のような画像形成手段によって光源から発せられた光をパソコン等の外部機器から入力された画像信号に基づいて処理して画像を形成し、該画像をプロジェクションレンズを通してスクリーンへ投射して表示する。プロジェクタは、従来は、大勢の人を収容可能な広い会議室や二十畳前後のリビング等のような広い場所に設置された大きなスクリーンに、会議等で参照する資料画像やＤＶＤ（Digital Versatile Disk）の再生映像等を大画面表示するために用いられていたが、最近では、数人程度を収容可能な狭いブースやパーテーションや十数畳未満の部屋等のような狭い場所に設置された比較的小さなスクリーンに、打合せ等で参照する資料画像やＤＶＤの再生映像等を適度な大きさの画面で表示するため等にも用いられている。狭いブースでの打合せ等で画像を表示する装置としては、従来からノートパソコンが一般的に用いられているが、ノートパソコンは表示部（ディスプレイ）の直ぐ手前に操作部（キーボード）が設けられているので、操作部の操作中は操作者が邪魔で表示部が見え難くなるという問題がある。これに対して、プロジェクタは表示部（スクリーン）から離れた位置に操作部（プロジェクタの本体の操作部若しくはリモコンまたはプロジェクタと接続されたパソコン等の操作部）が設けられるので、操作部の操作中に操作者が邪魔になることはなく、表示部が見え難くなることもないという利点がある。このような利点はプロジェクタの普及を促進している。
【０００３】
プロジェクタには、プロジェクションレンズを動かして焦点距離を変化させることによりスクリーンへの投射画像の大きさを変える光学ズーム機能と、入力される画像信号を処理してＤＭＤ等で形成する画像の大きさを変化させることによりスクリーンへの投射画像の大きさを変えるデジタルズーム機能とを有するものがある。また、光学ズーム機能やデジタルズーム機能を有するプロジェクタには、プロジェクションレンズへ入射させる光量を制限する絞りが設けられている。光学ズーム機能とデジタルズーム機能を有しかつ絞りを備えた他の装置としては、デジタルカメラ等の撮像装置がある。光学ズームには、ノブ等を操作することによってレンズが動いてズームを調節できる手動機構によるものと、本体等に設けられた操作キーの操作や自動制御でモータ等の電動機を駆動することによってレンズが動いてズームを調節できる電動機構によるものとがある。現在、電動機構による光学ズームは、カメラ等の撮像装置では広く採用されているが、手動機構による光学ズームより電動機等を設ける分コストがかかるため、プロジェクタでは採用機種（高機能機種等）が限定されている。プロジェクタの普及を促進するにはコストダウンが不可欠であるので、プロジェクタでは手動機構による光学ズームが広く採用されている。デジタルズームは、一般的には表示する画像の一部を切り取って拡大処理する機能であると考えられている。
【０００４】
上記の関連技術として、下記の特許文献１には、光走査型プロジェクタにおける電動機構による光学ズーム機能が開示されている。また、下記の特許文献２には、投影装置システムにおけるスクリーンからの反射画像の解析による自動焦点調節機能が開示されている。さらに、下記の特許文献３には、投射型画像表示装置における電動機構による絞り調節機能が開示されている。
【０００５】
【特許文献１】特開２００３−２５５２６３号公報
【特許文献２】特開２００２−２４４０２８号公報
【特許文献３】特開２００２−１０７６６２号公報
【発明の開示】
【発明が解決しようとする課題】
【０００６】
しかしながら、従来のプロジェクタでは、手動機構による光学ズームはノブ等の操作によって、デジタルズームは操作部等のキー操作によってそれぞれ独立で行うようになっているため、光学ズームを徐々に大きくまたは小さく調節して行った後、光学ズームで調節できなくなった倍率をデジタルズームで調節しようとすると、２種類以上の操作が必要となり、手間と時間がかかって煩雑であるという問題があった。
【０００７】
本発明は、上記問題点を解決するものであって、その課題とするところは、１種類の操作で光学ズームとデジタルズームを一連の動作として行えるプロジェクタを提供することにある。
【課題を解決するための手段】
【０００８】
本発明は、画像形成手段によって光源から発せられた光を入力された画像信号に基づいて調整して画像を形成し、該画像をプロジェクションレンズを通してスクリーンへ投射するとともに、手動でプロジェクションレンズを動かして焦点距離を変化させることによりスクリーンへの投射画像の大きさを変える光学ズーム機能と、入力画像信号を処理して画像形成手段によって形成する画像の大きさを変化させることによりスクリーンへの投射画像の大きさを変えるデジタルズーム機能とを有するプロジェクタにおいて、プロジェクションレンズを動かして焦点距離を変化可能な光学ズームを調節する光学ズーム操作範囲が設けられ、かつ該光学ズーム操作範囲の光学ズームがテレ端（望遠側一杯）に達する位置から連続するようにデジタルズームを調節するデジタルズーム操作範囲が設けられたズーム調節手段と、ズーム調節手段の操作位置を検出する検出手段と、光学ズームがテレ端に達したときより小さな所定の倍率のデジタルズームを実行するように、入力画像信号を処理して画像形成手段によって形成する画像を縮小するズームデータをデジタルズーム操作範囲の所定の操作位置と対応付けて記憶した記憶手段と、検出手段の検出結果からズーム調節手段がデジタルズーム操作範囲の所定の操作位置に操作されたことを判別して、該操作位置に対応するズームデータを記憶手段から読み出し、該ズームデータに基づいてデジタルズームを実行する制御手段とを備える。
【０００９】
このようにすると、ズーム調節手段を光学ズーム操作範囲で操作することにより、プロジェクションレンズが動いて焦点距離が変化して、光学ズームを調節することができ、ズーム調節手段をデジタルズーム操作範囲で操作することにより、光学ズームより小さな所定の倍率のデジタルズームを調節することができる。よって、ズーム調節手段の操作のみで、即ち１種類の操作で光学ズームとデジタルズームの調節を一連の動作として行うことが可能となり、手間と時間がかからず、操作が煩雑になることもない。また、狭いブースでの打合せ等で小さなスクリーンに画像を投射する際、情報の漏洩防止等のため投射画像をスクリーンから食み出さないように小さくしたい場合があるが、従来のプロジェクタは、狭い場所でも投射画像を大きくすることに力を入れて開発されていて、投射画像を小さくすることを想定して開発されていないため、上記の場合において、プロジェクタをスクリーンにできる限り近づけて、光学ズームをテレ端まで調節しても、まだ投射画像がスクリーンから食み出ることがあるという問題があった。従来のデジタルズームも、画像の一部を拡大表示することを主目的としていたため、デジタルズームで倍率を最小に調節しても、まだ投射画像がスクリーンから食み出ることがあるという問題があった。これに対して、上記本発明に係るプロジェクタでは、ズーム調節手段の光学ズーム操作範囲のテレ端に達する位置から連続するようにデジタルズーム操作範囲を設け、光学ズームがテレ端に達したときより小さな所定の倍率のデジタルズームを実行するズームデータをデジタルズーム操作範囲の所定の操作位置と対応付けて記憶手段に記憶しているので、プロジェクタをスクリーンにできる限り近づけて光学ズームをテレ端まで調節してもまだ投射画像がスクリーンから食み出る場合には、ズーム調節手段をデジタルズーム操作範囲の所定の操作位置に操作することにより、該操作位置に対応するズームデータに基づいてデジタルズームが自動的に実行されて、投射画像がさらに小さくなり、スクリーンから食み出さないようにすることが可能となる。
【００１０】
また、本発明では、上記構成に加えて、プロジェクションレンズへ入射させる光量を制限する絞り手段を備え、ズームデータに、入力画像信号を処理して画像形成手段によって形成する画像を縮小する画像処理データとともに、該形成画像の大きさに応じた光量をプロジェクションレンズへ入射させるように絞り手段を制御する絞り制御データを含め、制御手段は、記憶手段からズームデータを読み出した後、該ズームデータ中の画像処理データに基づいて入力画像信号を処理して画像形成手段によって画像を形成し、かつ絞り制御データに基づいて絞り手段を制御してデジタルズームを実行する。
【００１１】
このようにすると、ズーム調節手段の操作のみで、光学ズームとデジタルズームに加えて、デジタルズームに応じた絞りの調節を行うことが可能となる。また、ズーム調節手段をデジタルズーム操作範囲の所定の操作位置に操作したときに、画像形成手段によって形成する画像が対応する大きさに縮小されるとともに、該形成画像の大きさに応じた光量以外の余分な光がプロジェクションレンズへ入射されなくなって、スクリーンへの光の投射範囲が絞り込まれるので、投射画像をより小さくすることが可能となり、その上投射画像のコントラストの低下を抑制することが可能となる。
【００１２】
また、本発明では、上記構成に加えて、前記デジタルズーム操作範囲をテレ側デジタルズーム操作範囲とし、ズーム調節手段に、光学ズーム操作範囲の光学ズームがワイド端（広角側一杯）に達する位置から連続するようにデジタルズームを調節するワイド側デジタルズーム操作範囲を設け、記憶手段に、光学ズームがワイド端に達したときより大きな所定の倍率のデジタルズームを実行するように、入力画像信号を処理して画像形成手段によって形成する画像を拡大するズームデータをワイド側デジタルズーム操作範囲の所定の操作位置と対応付けて記憶し、制御手段は、検出手段の検出結果からズーム調節手段がテレ側デジタルズーム操作範囲またはワイド側デジタルズーム操作範囲の所定の操作位置に操作されたことを判別して、該操作位置に対応するズームデータを記憶手段から読み出し、該ズームデータに基づいてデジタルズームを実行する。
【００１３】
このようにすると、ズーム調節手段を光学ズーム操作範囲で操作することにより、光学ズームを調節して、投射画像の大きさを変えることができ、ズーム調節手段をテレ側またはワイド側デジタルズーム操作範囲で操作することにより、光学ズームより小さなまたは大きな所定の倍率のデジタルズームを調節して、投射画像の大きさを光学ズームより小さくまたは大きく変えることができる。
【００１４】
また、本発明では、画像形成手段によって光源から発せられた光を入力された画像信号に基づいて調整して画像を形成し、該画像をプロジェクションレンズを通してスクリーンへ投射するとともに、手動でプロジェクションレンズを動かして焦点距離を変化させることによりスクリーンへの投射画像の大きさを変える光学ズーム機能と、入力画像信号を処理して画像形成手段によって形成する画像の大きさを変化させることによりスクリーンへの投射画像の大きさを変えるデジタルズーム機能とを有するプロジェクタにおいて、プロジェクションレンズを動かして焦点距離を変化可能な光学ズームを調節する光学ズーム操作範囲が設けられ、かつ該光学ズーム操作範囲と連続するようにデジタルズームを調節するデジタルズーム操作範囲が設けられたズーム調節手段と、ズーム調節手段の操作位置を検出する検出手段と、光学ズームと異なる所定の倍率のデジタルズームを実行するように、入力画像信号を処理して画像形成手段によって形成する画像の大きさを変化させるズームデータをデジタルズーム操作範囲の所定の操作位置と対応付けて記憶した記憶手段と、検出手段の検出結果からズーム調節手段がデジタルズーム操作範囲の所定の操作位置に操作されたことを判別して、該操作位置に対応するズームデータを記憶手段から読み出し、該ズームデータに基づいてデジタルズームを実行する制御手段とを備える。
【００１５】
このようにすると、ズーム調節手段を光学ズーム操作範囲で操作することにより、光学ズームを調節して、投射画像の大きさを変えることができ、ズーム調節手段をデジタルズーム操作範囲で操作することにより、光学ズームと異なる所定の倍率のデジタルズームを調節して、投射画像の大きさを光学ズームで成し得ない大きさに変えることができる。よって、１種類の操作で光学ズームとデジタルズームの調節を一連の動作として行うことが可能となり、手間と時間がかからず、操作が煩雑になることもない。
【００１６】
さらに、本発明の典型的な実施形態では、画像形成部によって光源から発せられた光を入力された画像信号に基づいて調整して画像を形成し、該画像をプロジェクションレンズを通してスクリーンへ投射するとともに、手動でプロジェクションレンズを動かして焦点距離を変化させることによりスクリーンへの投射画像の大きさを変える光学ズーム機能と、入力画像信号を処理して画像形成部によって形成する画像の大きさを変化させることによりスクリーンへの投射画像の大きさを変えるデジタルズーム機能とを有するプロジェクタにおいて、プロジェクションレンズに回転可能に取り付けられ、プロジェクションレンズを動かして焦点距離を変化可能な光学ズームを調節する光学ズーム操作範囲が設けられ、かつ該光学ズーム操作範囲の光学ズームがテレ端またはワイド端に達する位置からそれぞれ連続するようにデジタルズームを調節するテレ側およびワイド側デジタルズーム操作範囲が設けられたズーム調節ノブと、ズーム調節ノブの回転操作位置を検出する検出部と、プロジェクションレンズの画像形成部側に設けられプロジェクションレンズへ入射させる光量を制限する光学絞り機構と、該光学絞り機構を駆動する駆動部と、光学ズームと異なる所定の倍率のデジタルズームを実行するように入力画像信号を処理して画像形成部によって形成する画像を縮小または拡大する画像処理データと、該形成画像の大きさに応じた光量を前記プロジェクションレンズへ入射させるように駆動部を制御して光学絞り機構を動作させる絞り制御データとを含んだ複数段階のズームデータを、両デジタルズーム操作範囲の複数の所定の操作位置に、該操作位置が光学ズーム操作範囲から遠ざかるに連れてデジタルズームの倍率が段階的に縮小または拡大するように対応付けて記憶した記憶部と、検出部の検出結果からズーム調節ノブが両デジタルズーム操作範囲のいずれかの所定の操作位置に操作されたことを判別して、該操作位置に対応するズームデータを記憶部から読み出し、該ズームデータ中の画像処理データに基づいて入力画像信号を処理して画像形成部によって画像を形成し、かつ絞り制御データに基づいて駆動部を制御して光学絞り機構を動作させてデジタルズームを実行する制御部とを備える。
【００１７】
このようにすると、ズーム調節ノブを光学ズーム操作範囲で回転操作することにより、光学ズームを調節して、投射画像の大きさを変えることができ、ズーム調節ノブをテレ側またはワイド側デジタルズーム操作範囲で回転操作することにより、光学ズームより小さなまたは大きな所定の倍率のデジタルズームを調節して、投射画像の大きさを段階的に縮小または拡大することができる。よって、ズーム調節ノブの回転操作のみで、即ち１種類の操作で光学ズームと該光学ズームと異なる倍率のデジタルズームの調節を一連の動作として行うことが可能となり、手間と時間がかからず、操作が煩雑になることもない。また、プロジェクタをスクリーンにできる限り近づけて光学ズームをテレ端まで調節してもまだ投射画像がスクリーンから食み出る場合には、ズーム調節ノブをテレ側デジタルズーム操作範囲の所定の操作位置に操作することにより、該操作位置に対応するデジタルズームが自動的に実行されて、投射画像がさらに小さくなり、スクリーンから食み出さないようにすることが可能となる。また、プロジェクタをスクリーンからできる限り離して光学ズームをワイド端まで調節したときよりも投射画像を大きくしたい場合には、ズーム調節ノブをワイド側デジタルズーム操作範囲の所定の操作位置に操作することにより、該操作位置に対応するデジタルズームが自動的に実行されて、投射画像をさらに大きくすることが可能となる。さらに、ズーム調節ノブの回転操作のみで、光学ズームとデジタルズームに加えて、デジタルズームに応じた絞りの調節を行うことができ、スクリーンへの光の投射範囲を絞り込んで、投射画像をより小さくすることが可能となり、その上投射画像のコントラストの低下を抑制することが可能となる。
【発明の効果】
【００１８】
本発明によれば、ズーム調節手段を光学ズーム操作範囲で操作することにより、光学ズームを調節することができ、ズーム調節手段をデジタルズーム操作範囲で操作することにより、光学ズームと異なる所定の倍率のデジタルズームを調節することができるので、１種類の操作で光学ズームとデジタルズームの調節を一連の動作として行うことが可能となる。
【発明を実施するための最良の形態】
【００１９】
図１は、本発明の実施形態に係るプロジェクタ１００の概略構造を示す図である。図１において、プロジェクタ１００はＤＬＰ（Digital Light Processing）方式のプロジェクタである。プロジェクタ１００の本体１内には、光学系、制御系、空調系、および電源系等のユニットがそれぞれ設けられている。図では、光学系ユニットのみを図示している。２はランプとリフレクタから成る光源、３はマグネシウム製の筐体であるエンジンキャスケットである。図ではエンジンキャスケット３の上部が開口されているように見えるが、これは内部構造を示すためであり、実際には図示しないカバーにより塞がれている。
【００２０】
４はエンジンキャスケット３の側部に設けられた孔と該孔内に装着されたレンズ等から成る入光口であって、光源２から発せられた白色光をエンジンキャスケット３内に入光させる。５は赤、緑、青のカラーフィルタが円周方向に交互に配列された円板から成るカラーホイールであって、図示しないモータによって回転して、入光口４から入光された白色光をカラーフィルタのいずれかを透過させて赤色光、緑色光、青色光に分離する。６は内面にミラーが貼り付けられた導光筒であって、カラーホイール５で分離された各色光を分散しないように導く。７は導光筒６によって導かれた光を反射するミラー、８はミラー７で反射された光を屈曲させる等して該光の光束を整えるリレーレンズである。９は半導体メモリ上に数十万個の微小なマイクロミラー（図示省略）が集積されたＤＭＤ（Digital Micromirror Device）であって、メモリセルが割り当てられた個々のマイクロミラーにより画素が構成される。ＤＭＤ９のマイクロミラーは、±１２°の２方向に傾動することができる構造になっていて、メモリ値に応じて静電吸引力によりいずれかの方向に傾動し、傾動方向によってＯＮ／ＯＦＦの２値の状態をとる。１０はＤＭＤ９を実装した基板、１１はＤＭＤ９で生じた熱を放熱するヒートシンクである。１２はフォーカス機能とズーム機能を有するプロジェクションレンズであって、図示しない多重の鏡筒と、該鏡筒内に装着された複数枚のレンズと、該鏡筒を伸縮させるカム機構とから構成され、ＤＭＤ９から出射する光をスクリーン１９上に投射する。図ではプロジェクションレンズ１２の鏡筒が最も収縮した状態を実線で示し、最も伸長した状態を二点鎖線で示している。即ち、プロジェクションレンズ１２はスクリーン１９側へ突出し、ＤＭＤ９側へは突出しない。
【００２１】
矢印で示すように、光源２から発せられた白色光は入光口４を通り、カラーホィール５のいずれかのカラーフィルタを透過して、赤色光、緑色光、青色光に分離される。そして、各色光は導光筒６に導かれ、プロジェクションレンズ１２の下側をくぐって、ミラー７で所定角度上向きに反射し、リレーレンズ８に入射する。リレーレンズ８を透過した光はＤＭＤ９のマイクロミラーに照射される。このとき、マイクロミラーがＯＮ状態にあるときは、該ミラーで所定角度上向きに反射された光が、プロジェクションレンズ１２に取り込まれてスクリーン１９に投射される。また、マイクロミラーがＯＦＦ状態にあるときは、該ミラーでＯＮ状態のときよりも大きな所定角度で上向きに反射された光が、プロジェクションレンズ１２の上方へ向けられて該レンズ１２に取り込まれずスクリーン１９に投射されない。即ち、パソコンやビデオ等の外部機器から入力される画像信号に基づいてＤＭＤ９の個々のマイクロミラーの動作状態をＯＮ／ＯＦＦに制御することにより、光源２から発せられた光を反射調整してＤＭＤ９に画像を形成し、該画像をプロジェクションレンズ１２を通してスクリーン１９に投射して表示する。
【００２２】
１３、１４はプロジェクションレンズ１２の外周（鏡筒）にそれぞれ図示しないクラッチ機構を介して回転操作可能に取り付けられたフォーカス調節ノブおよびズーム調節ノブである。図３は、ズーム調節ノブ１４を示す図である。図３に示すように、ズーム調節ノブ１４はリング状に形成されていて、上部に突起状のツマミ１４ａが設けられ、ツマミ１４ａの近傍にはマグネット１７が埋め込まれている。フォーカス調節ノブ１３もズーム調節ノブ１４と同様に、リング状に形成されていて、上部に突起状のツマミ１３ａが設けられている。図２は、プロジェクタ１００の前端部の平面図である。図２に示すように、フォーカス調節ノブ１３とズーム調節ノブ１４は本体１の上面に設けられた開口１ａから露出していて、ツマミ１３ａ、１４ａを移動可能に突出させている。フォーカス調節ノブ１３とズーム調節ノブ１４自体は３６０°回転可能にプロジェクションレンズ１２に取り付けられているが、ツマミ１３ａ、１４ａが開口１ａの左右の端部に当接することにより、その回転は所定の角度に制限される。ツマミ１３ａを把持して開口１ａの左右の端から端まで移動させると、フォーカス調節ノブ１３を回転操作でき、該回転に連動してプロジェクションレンズ１２の鏡筒が伸縮されて、内部のレンズが動いて、フォーカスを調節し、スクリーン１９への投射画像のピントを合わせることができる。
【００２３】
ＯＲは光学ズーム操作範囲であって、ツマミ１４ａを把持して該光学ズーム操作範囲ＯＲで左右に移動させると、ズーム調節ノブ１４を所定角度で回転操作でき、該回転に連動してプロジェクションレンズ１２の鏡筒が伸縮されて、内部のレンズが動いて、焦点距離が変化し、光学ズームを調節して、スクリーン１９への投射画像の大きさを変えることができる。ＷＥは光学ズームがワイド端（広角側一杯）に達するズーム調節ノブ１４の操作位置、ＴＥは光学ズームがテレ端（望遠側一杯）に達するズーム調節ノブ１４の操作位置である。以下、これらをワイド端位置ＷＥおよびテレ端位置ＴＥという。ＤＲは光学ズーム操作範囲ＯＲのテレ端位置ＴＥから連続するように設けられたデジタルズーム操作範囲であって、ツマミ１４ａを把持して該デジタルズーム操作範囲ＤＲで左右に移動させると、ズーム調節ノブ１４を所定角度で回転操作でき、該回転に連動して後述するように自動制御でデジタルズームを調節して、スクリーン１９への投射画像の大きさを変えることができる。デジタルズームの調節は、後述する操作キーの操作によっても行うことができる。ズーム調節ノブ１４をいずれの操作範囲ＯＲ、ＤＲで操作させているかを分かり易くするため、ツマミ１４ａがテレ端位置ＴＥを通り過ぎるときはクラッチ機構によってクリック感（操作感）が出る。クラッチ機構に代えて、開口１ａの周囲にマークを付ける等してズーム調節ノブ１４をいずれの操作範囲ＯＲ、ＤＲで操作させているかを分かるようにしてもよい。また、フォーカス調節ノブ１３とズーム調節ノブ１４は、上記のようにツマミ１３ａ、１４ａを設ける代わりに、例えば外周部に滑り止めの複数の筋（突起や溝）を設ける等して直接指で回転操作できるようにしてもよい。
【００２４】
図１の１５はプロジェクションレンズ１２の外周にズーム調節ノブ１４に近接させて固定されたセンサリングである。図４は、センサリング１５を示す図である。図４に示すように、センサリング１５はリング状に形成されていて、上部の所定の角度位置Ａ〜Ｃにズーム調節ノブ１４の回転状態を検出するための磁気センサから成るズームセンサ１８ａ〜１８ｃが所定の間隔で埋め込まれている。角度位置Ａ〜Ｃはズーム調節ノブ１４のデジタルズーム操作範囲ＤＲを３分割した各範囲に相当している。各ズームセンサ１８ａ〜１８ｃはズーム調節ノブ１４のマグネット１７が対向する位置まで近づくと、即ち角度位置Ａ〜Ｃのいずれかまで移動してくると、マグネット１７を検知してＯＦＦ状態からＯＮ状態に切り替わる。このため、ズームセンサ１８ａ〜１８ｃからの出力信号より、ズーム調節ノブ１４がデジタルズーム操作範囲ＤＲのいずれかの操作位置Ａ〜Ｃに操作されたことが検出できる。図ではズームセンサ１８ａ〜１８ｃの３つしか示していないが、センサリング１５に設けるズームセンサの数はこれに限定するものではなく、例えば光学ズーム操作範囲ＯＲにも複数のズームセンサを埋め込んでおいてもよい。ズーム調節ノブ１４のマグネット１７も同様に複数埋め込んでおいてもよい。
【００２５】
図１の１６はプロジェクションレンズ１２のＤＭＤ９側に設けられた光学絞り機構である。図５は、光学絞り機構１６を示す図である。図５に示すように、光学絞り機構１６はケース１６ａと、該ケース１６ａ内に左右へスライド可能に設けられた大きさの異なる複数のシャッタ１６ｂ〜１６ｄと、各シャッタ１６ｂ〜１６ｄをスライドさせてケース１６ａ内より出没させる図示しないギヤやガイド等から構成されている。各シャッタ１６ｂ〜１６ｄには、大きさの異なる矩形状のスリット１６ｅ〜１６ｇが設けられている。ギヤ等によりいずれかのシャッタ１６ｂ〜１６ｄをケース１６ａ内から図１に示すように突出させると、ＤＭＤ９で反射された画像を形成する光が該シャッタのスリットを通り抜けてプロジェクションレンズ１２へ入射し、画像を形成しない余分な光が該シャッタに遮られてプロジェクションレンズ１２へ入射しなくなる。即ち、光学絞り機構１６によってＤＭＤ９からプロジェクションレンズ１２へ入射する光量が制限される。図ではシャッタ１６ｂ〜１６ｄの３つしか示していないが、ケース１６ａ内に設けるシャッタの数はこれに限定するものではなく、シャッタを２つ以下または４つ以上設けてもよい。
【００２６】
図６は、プロジェクタ１００の電気的構成を示すブロック図である。図６において、２０はプロジェクタ１００に接続された外部機器から画像信号が入力される入力端子、２１は入力端子２０からの入力画像信号を処理する回路から成る信号処理部であって、入力画像信号がアナログ信号であれば該信号をデジタル変換してからさらにビットプレーンフォーマットに変換し、入力画像信号がデジタル信号であれば該信号をビットプレーンフォーマットに変換する。この際、デジタルズームの実行が指示されていると、信号処理部２１が該指示に従って入力画像信号に基づく画像を拡大または縮小するようにビットプレーンフォーマットへの変換信号処理を行う。２２はＣＰＵやメモリ等から成る制御部であって、プロジェクタ１００の各部の動作制御を行う。２３はメモリから成る記憶部であって、制御部２２が各部の動作を制御するためのデータおよびプログラムが記憶されている。２４はメニュー画像等の予め記憶された情報をスクリーン１９にオンスクリーン表示する回路から成るＯＳＤ部である。２５は前述したＤＭＤ９と前述した基板１０に形成されたＤＭＤ９に対して信号伝送する回路とから成る画像形成部である。２６は前述したズームセンサ１８ａ〜１８ｃと該センサ１８ａ〜１８ｃからの出力信号を受けて前述したズーム調節ノブ１４の回転操作位置を検出する回路から成るズーム位置検出部である。２７は前述した光学絞り機構１６を駆動して各シャッタ１６ｂ〜１６ｄを動作させるモータ等から成る絞り駆動部である。２８はプロジェクタ１００の本体１およびリモコン（図示省略）に設けられた操作キー等から成る入力操作部である。上記の他にもプロジェクタ１００には、電源回路から成る電源部、ＬＥＤ等から成る表示部、前述したカラーホィール５を回転駆動する駆動部、および空調系に属するファンを回転駆動する駆動部等が備わっているが、これらは公知のものと同様であるため、ここでは図示を省略している。
【００２７】
外部機器からの入力画像信号が信号処理部２１によって処理された後、制御部２２が信号処理部２１から出力されるビットプレーンフォーマットの信号に基づいて、画像形成部２５のＤＭＤ９の個々のマイクロミラーの動作状態をＯＮ／ＯＦＦに制御することで、ＤＭＤ９に入力画像信号に基づくカラー画像が形成される。このとき、制御部２２によって、カラーホイール５の回転とＤＭＤ９の駆動の同期がとられる。そして、ＤＭＤ９に形成された画像はプロジェクションレンズ１２を通してスクリーン１９に投射され表示される。この際、前述したようにズーム調節ノブ１４を光学ズーム操作範囲ＯＲで回転操作することによって、プロジェクションレンズ１２で光学ズームが調節されて、スクリーン１９への投射画像の大きさが任意の大きさに変えられる。
【００２８】
図７は、記憶部２３の記憶内容の一部を示す図である。記憶部２３の所定の記憶領域には、図７に示す複数のズームデータＺＡ〜ＺＣ、Ｚ１〜Ｚｎが記憶されている。各ズームデータＺＡ〜ＺＣ、Ｚ１〜Ｚｎは、それぞれ異なる所定の倍率Ｓ１〜Ｓ３、Ｌ１〜Ｌｎのデジタルズームを実行するように信号処理部２１によって入力画像信号を処理して、画像形成部２５によって形成する画像を縮小または拡大する画像処理データと、該形成画像の大きさに応じた光量をプロジェクションレンズ１２へ入射させるように絞り駆動部２７を制御して、光学絞り機構１６を動作させる絞り制御データとを含んでいる。より詳しくは、上記画像処理データは、ＤＭＤ９の比較的少ないマイクロミラーによって入力画像信号に基づく画像を形成することにより該画像のサイズを小さくするように、またはＤＭＤ９の比較的多いマイクロミラーによって入力画像信号に基づく画像を形成することにより該画像のサイズを大きくするように、入力画像信号を処理してＤＭＤ９を動作させる信号処理部２１とＤＭＤ９の制御プログラムと制御データ等から構成されている。また、上記絞り制御データは、ＤＭＤ９で形成する画像のサイズを小さくするときは該サイズに応じてプロジェクションレンズ１２への入射光量を少なくするように、またはＤＭＤ９で形成する画像のサイズを大きくするときは該サイズに応じてプロジェクションレンズ１２への入射光量を多くするように、絞り駆動部２７を駆動して光学絞り機構１６のいずれかのシャッタ１６ｂ〜１６ｄを突出させる絞り駆動部２７と光学絞り機構１６の制御プログラムと制御データ等から構成されている。
【００２９】
ズームデータＺＡ〜ＺＣは、プロジェクションレンズ１２によって調節される光学ズームがテレ端に達したときより小さな倍率Ｓ１〜Ｓ３のデジタルズームを実行するためのデータであって、ズームデータＺＣからズームデータＺＡに行くに連れてデジタルズームの倍率が段階的に小さくなり（Ｓ３＞Ｓ２＞Ｓ１）、それぞれ前述したズーム調節ノブ１４のデジタルズーム操作範囲ＤＲ内の操作位置Ａ〜Ｃに対応付けられている。即ち、ズームデータＺＡ〜ＺＣは、デジタルズーム操作範囲ＤＲの操作位置Ａ〜Ｃに、該操作位置Ａ〜Ｃが光学ズーム操作範囲ＯＲから遠ざかるに連れてデジタルズームの倍率が段階的に縮小するように対応付けて記憶されている。ズームデータＺ１〜Ｚｎは、光学ズームと重複するまたは光学ズームがワイド端に達したときより大きな倍率Ｌ１〜Ｌｎのデジタルズームを実行するためのデータであって、ズームデータＺ１からズームデータＺｎに行くに連れてデジタルズームの倍率が段階的に大きくなっている（Ｌ１＜・・・＜Ｌｎ）。
【００３０】
ズーム調節ノブ１４のツマミ１４ａをデジタルズーム操作範囲ＤＲのいずれかの操作位置Ａ〜Ｃまで回転操作すると、該操作位置が前述したズーム位置検出部２６によって検出され、該検出結果を受けた制御部２２が該操作位置に対応するズームデータＺＡ〜ＺＣを記憶部２３から読み出し、該ズームデータに基づいて倍率Ｓ１〜Ｓ３のいずれかのデジタルズームを実行する。この際、ツマミ１４ａを光学ズーム操作範囲ＯＲから遠ざけるに連れてデジタルズームの倍率が段階的に小さくなり、スクリーン１９への投射画像が段階的に縮小される。このようなズーム調節ノブ１４の回転操作によるデジタルズームの調節は、プロジェクタ１００からスクリーン１９に表示するメニュー画面を見ながら前述した入力操作部２８の操作キーで所定の操作を行うことにより、有効にするか無効にするか選択することができる。具体的には、メニュー画面中で示される連続ズームモードを操作キーの操作により有効にすると、ズーム調節ノブ１４の回転操作により光学ズームとデジタルズームの両方の調節が行え、無効にすると、ズーム調節ノブ１４の回転操作により光学ズーム調節だけが行えるようになる。
【００３１】
また、メニュー画面を見ながら入力操作部２８の操作キーで所定の操作を行って、デジタルズームの倍率Ｓ１〜Ｓ３、Ｌ１〜Ｌｎのいずれかを選択して実行を指示すると、該指示を受けた制御部２２が該倍率に対応するズームデータＺＡ〜ＺＣ、Ｚ１〜Ｚｎを記憶部２３から読み出し、該ズームデータに基づいて該倍率のデジタルズームを実行する。この際、指示されたデジタルズームの倍率が大きくなるに連れてスクリーン１９への投射画像が段階的に大きくなる。このような操作キーの操作によるデジタルズームの調節は、上述した連続ズームモードの有効・無効に関係なく行うことができる。
【００３２】
上記において、ＤＭＤ９等から成る画像形成部２５は、本発明における画像形成部および画像形成手段の一実施形態を構成する。ズーム調節ノブ１４は、本発明におけるズーム調節ノブおよびズーム調節手段の一実施形態を構成する。ズームセンサ１８ａ〜１８ｃ等から成るズーム位置検出部２６は、本発明における検出部および検出手段の一実施形態を構成する。光学絞り機構１６は、本発明における光学絞り機構の一実施形態を構成し、絞り駆動部２７は、本発明における駆動部の一実施形態を構成し、光学絞り機構１６と絞り駆動部２７で、本発明における絞り手段の一実施形態を構成する。記憶部２３は、本発明における記憶部および記憶手段の一実施形態を構成する。制御部２２は、本発明における制御部および制御手段の一実施形態を構成する。
【００３３】
図８は、プロジェクタ１００の動作手順を示すフローチャートである。各処理は、プロジェクタ１００の電源投入時に制御部２２が実行する。図８において、先ず制御部２２は、ユーザによって操作部２８の操作キーが操作されて、連続ズームモードが有効になるのを待つ（ステップＳ１）。そして、連続ズームモードが有効になると（ステップＳ１：ＹＥＳ）、制御部２２はズーム位置検出部２６によりいずれかのズームセンサ１８ａ〜１８ｃがＯＮ状態になっているか否かを確認する（ステップＳ２）。このとき、ユーザによってズーム調節ノブ１４が光学ズーム操作範囲ＯＲのいずれかの操作位置へ操作されていると、ズームセンサ１８ａ〜１８ｃのいずれもがマグネット１７を検知せずＯＦＦ状態のままであるので（ステップＳ２：ＮＯ）、制御部２２はステップＳ１へ戻る。一方、ユーザによってズーム調節ノブ１４がデジタルズーム操作範囲ＤＲのいずれかの操作位置Ａ〜Ｃへ操作されると、ズームセンサ１８ａ〜１８ｃのいずれかがマグネット１７を検知してＯＮ状態になるので（ステップＳ２：ＹＥＳ）、制御部２２はＯＮ状態になったそのズームセンサに基づいてズーム調節ノブ１４の操作位置（操作位置Ａ〜Ｃのいずれか）を判別する（ステップＳ３）。そして、制御部２２は判別した操作位置に対応するズームデータ（ズームデータＺＡ〜ＺＣのいずれか）を記憶部２３から読み出し（ステップＳ４）、該ズームデータ中の画像処理データに基づいて信号処理部２１により外部機器からの入力画像信号を処理して、画像形成部２５により画像を形成し、かつ絞り制御データに基づいて絞り駆動部２７を制御して、光学絞り機構１６のシャッタ１６ｂ〜１６ｄを動作させてデジタルズームを実行する（ステップＳ５）。これにより、スクリーン１９へ投射する画像が光学ズームがテレ端に達したときよりも縮小される。デジタルズームの実行後、制御部２２はステップＳ１へ移行し、上記のようにステップＳ１〜Ｓ５を繰り返し実行する。
【００３４】
以上のようにすることで、連続ズームモードを有効にした状態で、ズーム調節ノブ１４を光学ズーム操作範囲ＯＲで操作することにより、プロジェクションレンズ１２が動いて焦点距離が変化して、光学ズームを調節することができ、ズーム調節ノブ１４をデジタルズーム操作範囲ＤＲで操作することにより、光学ズームより小さな倍率Ｓ１〜Ｓ３のデジタルズームを調節することができる。よって、ズーム調節ノブ１４の回転操作のみで、即ち１種類の操作で光学ズームとデジタルズームの調節を一連の動作として行うことが可能となり、手間と時間がかからず、操作が煩雑になることもない。
【００３５】
また、狭いブースでの打合せ等で小さなスクリーンに画像を投射する際、情報の漏洩防止等のため投射画像をスクリーンから食み出さないように小さくしたい場合があるが、従来のプロジェクタは、狭い場所でも投射画像を大きくすることに力を入れて開発されていて、投射画像を小さくすることを想定して開発されていないため、上記の場合において、プロジェクタをスクリーンにできる限り近づけて、光学ズームをテレ端まで調節しても、まだ投射画像がスクリーンから食み出ることがあるという問題があった。従来のデジタルズームも、画像の一部を拡大表示することを主目的としていたため、デジタルズームで倍率を最小に調節しても、まだ投射画像がスクリーンから食み出ることがあるという問題があった。これに対して、本実施形態に係るプロジェクタ１００では、ズーム調節ノブ１４の光学ズーム操作範囲ＯＲのテレ端位置ＴＥから連続するようにデジタルズーム操作範囲ＤＲを設け、光学ズームがテレ端に達したときより小さな倍率Ｓ１〜Ｓ３のデジタルズームを実行するズームデータＺＡ〜ＺＣをデジタルズーム操作範囲ＤＲの操作位置Ａ〜Ｃと対応付けて記憶部２３に記憶しているので、プロジェクタ１００の本体１をスクリーン１９にできる限り近づけてズーム調節ノブ１４を回転操作して光学ズームをテレ端まで調節してもまだ投射画像がスクリーン１９から食み出る場合には、ズーム調節ノブ１４をデジタルズーム操作範囲ＤＲのいずれかの操作位置Ａ〜Ｃに操作することにより、該操作位置に対応するズームデータＺＡ〜ＺＣに基づいてデジタルズームが自動的に実行されて、投射画像がさらに小さくなり、スクリーン１９から食み出さないようにすることが可能となる。
【００３６】
さらに、ズームデータＺＡ〜ＺＣに画像処理データと絞り制御データとを含め、ズーム調節ノブ１４がデジタルズーム操作範囲ＤＲのいずれかの操作位置Ａ〜Ｃに操作されたときに、ズームデータＺＡ〜ＺＣ中の画像処理データに基づいて入力画像信号を処理して、画像形成部２５によって画像を形成し、かつ絞り制御データに基づいて絞り駆動部２７を制御して、光学絞り機構１６を動作させているので、ズーム調節ノブ１４の回転操作のみで、光学ズームとデジタルズームに加えて、デジタルズームに応じた絞りの調節を行うことが可能となる。また、ズーム調節ノブ１４がいずれかの操作位置Ａ〜Ｃに操作されたときに、画像形成部２５のＤＭＤ９によって形成する画像が該操作位置に対応する大きさに縮小されるとともに、該形成画像の大きさに応じた光量以外の余分な光が光学絞り機構１６のシャッタ１６ｂ〜１６ｄによって遮られて、プロジェクションレンズ１２へ入射されなくなり、スクリーン１９への光の投射範囲が絞り込まれるので、投射画像をより小さくすることが可能となり、その上投射画像のコントラストの低下を抑制することが可能となる。
【００３７】
以上述べた実施形態では、ズーム調節ノブ１４の回転操作によって光学ズームと光学ズームより小さな倍率のデジタルズームとを調節できるようにしているが、光学ズームより大きな倍率のデジタルズームも調節できるようにしてもよい。図９〜図１１は、この場合の実施形態を示す図である。図９は、他の実施形態に係るプロジェクタ１００の前端部の平面図である。図示するようにズーム調節ノブ１４の光学ズーム操作範囲ＯＲの両側には、テレ端位置ＴＥまたはワイド端位置ＷＥからそれぞれ連続するようにテレ側デジタルズーム操作範囲ＤＲｔとワイド側デジタルズーム操作範囲ＤＲｗが設けられている。ズーム調節ノブ１４の構造は、図３で示したのと略同様である。
【００３８】
図１０は、他の実施形態に係るセンサリング１５を示す図である。図示するようにセンサリング１５には、複数の磁気センサから成るズームセンサ１８ａ〜１８ｆが所定の間隔で埋め込まれている。ズームセンサ１８ａ〜１８ｃが埋め込まれている位置Ａ〜Ｃはテレ側デジタルズーム操作範囲ＤＲｔを３分割した各範囲に相当し、ズームセンサ１８ｄ〜１８ｆが埋め込まれている位置Ｄ〜Ｆはワイド側デジタルズーム操作範囲ＤＲｗを３分割した各範囲に相当している。ズーム調節ノブ１４の回転操作によりマグネット１７がいずれかのズームセンサ１８ａ〜１８ｆと対向する位置まで移動すると、いずれかのズームセンサ１８ａ〜１８ｆがマグネット１７を検知してＯＦＦ状態からＯＮ状態に切り替わるため、前述した制御部２２はズームセンサ１８ａ〜１８ｆからの出力信号により、ズーム調節ノブ１４がデジタルズーム操作範囲ＤＲｔ、ＤＲｗのいずれかの操作位置Ａ〜Ｆに操作されたことを検出可能となる。
【００３９】
図１１は、他の実施形態に係る記憶部２３の記憶内容の一例を示す図である。図１１において、記憶部２３に記憶されている各ズームデータＺＡ〜ＺＣ、Ｚ１〜Ｚｎは、それぞれ異なる所定の倍率Ｓ１〜Ｓ３、Ｌ１〜Ｌｎのデジタルズームを実行するためのデータであって、図７で説明したのと同様に画像処理データと絞り制御データとを含んでいる。ズームデータＺＡ〜ＺＣは、テレ側デジタルズーム操作範囲ＤＲｔの操作位置Ａ〜Ｃに、該操作位置Ａ〜Ｃが光学ズーム操作範囲ＯＲから遠ざかるに連れてデジタルズームの倍率が段階的に縮小するように対応付けて記憶されている。ズームデータＺｎ−２〜Ｚｎは、ワイド側デジタルズーム操作範囲ＤＲｗの操作位置Ｄ〜Ｆに、該操作位置Ｄ〜Ｆが光学ズーム操作範囲ＯＲから遠ざかるに連れてデジタルズームの倍率が段階的に拡大するように対応付けて記憶されている。
【００４０】
上記構成において、ズーム調節ノブ１４のツマミ１４ａを光学ズーム操作範囲ＯＲで回転操作すると、図２で説明したのと同様に、該回転に連動してプロジェクションレンズ１２が動いて、焦点距離が変化し、光学ズームが調節されて、スクリーン１９への投射画像が縮小または拡大される。また、ズーム調節ノブ１４のツマミ１４ａをテレ側デジタルズーム操作範囲ＤＲｔのいずれかの操作位置Ａ〜Ｃまで回転操作すると、該操作位置を前述したズーム位置検出部２６により検出した制御部２２が、該操作位置に対応するズームデータＺＡ〜ＺＣを記憶部２３から読み出し、該ズームデータに基づいて倍率Ｓ１〜Ｓ３のいずれかのデジタルズームを実行する。この際、ツマミ１４ａを光学ズーム操作範囲ＯＲのテレ端位置ＴＥから遠ざけるに連れてデジタルズームの倍率が段階的に小さくなり、スクリーン１９への投射画像が段階的に縮小される。さらに、ツマミ１４ａをワイド側デジタルズーム操作範囲ＤＲｗのいずれかの操作位置Ｄ〜Ｆまで回転操作すると、該操作位置を検出した制御部２２が、該操作位置に対応するズームデータＺｎ−２〜Ｚｎを記憶部２３から読み出し、該ズームデータに基づいて倍率Ｌｎ−２〜Ｌｎのいずれかのデジタルズームを実行する。この際、ツマミ１４ａを光学ズーム操作範囲ＯＲのワイド端位置ＷＥから遠ざけるに連れてデジタルズームの倍率が段階的に大きくなり、スクリーン１９への投射画像が段階的に拡大される。
【００４１】
上記のようにすることで、ズーム調節ノブ１４を光学ズーム操作範囲ＯＲで回転操作することにより、光学ズームを調節して、スクリーン１９への投射画像の大きさを変えることができ、ズーム調節ノブ１４をテレ側デジタルズーム操作範囲ＤＲｔまたはワイド側デジタルズーム操作範囲ＤＲｗで回転操作することにより、光学ズームより小さなまたは大きな所定の倍率のデジタルズームを調節して、投射画像の大きさを段階的に縮小または拡大することができる。よって、ズーム調節ノブ１４の回転操作のみで光学ズームと該光学ズームと異なる倍率のデジタルズームの調節を一連の動作として行うことが可能となる。
【００４２】
また、プロジェクタ１００の本体１をスクリーン１９にできる限り近づけて光学ズームをテレ端まで調節してもまだ投射画像がスクリーン１９から食み出る場合には、ズーム調節ノブ１４をテレ側デジタルズーム操作範囲ＤＲｔのいずれかの操作位置Ａ〜Ｃに操作することにより、該操作位置に対応するデジタルズームが自動的に実行されて、投射画像がさらに小さくなり、スクリーン１９から食み出さないようにすることが可能となる。また、プロジェクタ１００の本体１をスクリーン１９からできる限り離して光学ズームをワイド端まで調節したときよりも投射画像を大きくしたい場合には、ズーム調節ノブ１４をワイド側デジタルズーム操作範囲ＤＲｗのいずれかの操作位置Ｄ〜Ｆに操作することにより、該操作位置に対応するデジタルズームが自動的に実行されて、投射画像をさらに大きくすることが可能となる。さらに、ズーム調節ノブ１４の回転操作のみで、光学ズームとデジタルズームに加えて、デジタルズームに応じた絞りの調節を行うことができ、スクリーン１９への光の投射範囲を絞り込んで、投射画像をより小さくすることが可能となり、その上投射画像のコントラストの低下を抑制することが可能となる。
【００４３】
本発明は、以上述べた実施形態以外にも種々の形態を採用することができる。例えば、以上の実施形態では、ズーム調節ノブ１４の操作位置を検出するために、マグネット１７と磁気センサから成るズームセンサ１８ａ〜１８ｆを用いた例を挙げているが、本発明はこれのみに限定するものではなく、これらに代えて、例えばエンコーダを用いてズーム調節ノブ１４の回転角度を操作位置として検出するようにしてもよい。
【００４４】
また、以上の実施形態では、複数のシャッタ１６ｂ〜１６ｄ等から成る光学絞り機構１６とモータ等から成る絞り駆動部２７を絞り手段として用いた例を挙げているが、本発明はこれのみに限定するものではなく、これらに代えて、例えば複数の絞り羽と該絞り羽を開閉動作させるモータ等から成るアイリス絞りを用いてもよい。また、駆動手段としては、モータだけに限らず、ソレノイド等のような電動機を用いてもよい。さらに、上記のような機械的な光学絞りに代えて、ＤＭＤ９のマイクロミラーの一部に対する制御信号をＯＦＦ状態にすることによって実現できる電気的な絞りを用いるようにしてもよい。
【００４５】
また、以上の実施形態では、ズーム調節ノブ１４の光学ズーム操作範囲ＯＲのテレ端側のみにまたはテレ側とワイド側の両方にデジタルズーム操作範囲ＤＲ、ＤＲｔ、ＤＲｗを設けた例を挙げているが、本発明はこれのみに限定するものではなく、これ以外に、光学ズーム操作範囲ＯＲのワイド側のみに光学ズームより大きな倍率のデジタルズームを調節できるデジタルズーム操作範囲を設けるようにしてもよい。
【００４６】
さらに、以上の実施形態では、本発明をＤＬＰ方式を採用したプロジェクタ１００に適用した例を挙げているが、本発明はこれ以外にも、例えば液晶パネルを用いたプロジェクタ等のような、他の方式を採用したプロジェクタに適用することが可能である。
【図面の簡単な説明】
【００４７】
【図１】本発明の実施形態に係るプロジェクタの概略構造を示す図である。
【図２】同プロジェクタの前端部の平面図である。
【図３】同プロジェクタに備わるズーム調節ノブを示す図である。
【図４】同プロジェクタに備わるセンサリングを示す図である。
【図５】同プロジェクタに備わる光学絞り機構を示す図である。
【図６】同プロジェクタの電気的構成を示すブロック図である。
【図７】同プロジェクタに備わる記憶部の記憶内容の一例を示す図である。
【図８】同プロジェクタの動作手順を示すフローチャートである。
【図９】他の実施形態に係るプロジェクタの前端部の平面図である。
【図１０】他の実施形態に係るセンサリングを示す図である。
【図１１】他の実施形態に係る記憶部の記憶内容の一例を示す図である。
【符号の説明】
【００４８】
２  光源
９  ＤＭＤ
１２  プロジェクションレンズ
１４  ズーム調節ノブ
１６  光学絞り機構
１８ａ〜１８ｆ  ズームセンサ
１９  スクリーン
２２  制御部
２３  記憶部
２５  画像形成部
２６  ズーム位置検出部
２７  絞り駆動部
ＤＲ  デジタルズーム操作範囲
ＤＲｔ  テレ側デジタルズーム操作範囲
ＤＲｗ  ワイド側デジタルズーム操作範囲
ＯＲ  光学ズーム操作範囲
ＺＡ〜ＺＣ、Ｚｎ−２〜Ｚｎ  ズームデータ
【図１】
2007178747.tif 000003
【図２】
2007178747.tif 000004
【図３】
2007178747.tif 000005
【図４】
2007178747.tif 000006
【図５】
2007178747.tif 000007
【図６】
2007178747.tif 000008
【図７】
2007178747.tif 000009
【図８】
2007178747.tif 000010
【図９】
2007178747.tif 000011
【図１０】
2007178747.tif 000012
【図１１】
2007178747.tif 000013